(57)【要約】【課題】手首部分の外周長に応じて調整することができる第１の調整範囲と、上腕の外周長に応じて調整することができる第２の調整範囲を有した袖口を有する衣服の袖を提供すること。【解決手段】腕全体を覆う筒状体と当該筒状体の端縁に設けられた袖口体によって構成されており、前記袖口体は前記筒状体の端部に接続された所定幅の袖口布と前記筒状体の端部に接続されない帯状片を有しており、前記帯状片は折り返すことで前記袖口布の内側面に重ね合わせることができるとともに、当該袖口布の内側面に対して着脱自在に固定可能であり、折り返さない状態では前記袖口布の外側面に対して着脱自在に固定可能であること。【選択図】図１
2009138321.tif 000002
【特許請求の範囲】
【請求項１】
腕全体を覆う筒状体と当該筒状体の端縁に設けられた袖口体によって構成されており、
前記袖口体は、前記筒状体の端部に接続された所定幅の袖口布と前記筒状体の端部に接続されない帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であることを特徴とする衣服の袖。
【請求項２】
腕全体を覆う筒状体と当該筒状体の端縁に設けられた袖口体によって構成されており、
前記袖口体は、前記筒状体の端部に接続された所定幅の袖口布と前記筒状体の端部に接続されない帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であり、
前記帯状片を前記袖口布の内側面に重ね合わせた場合には手首部位の外周に合わせて開口径が調整可能であるとともに、前記帯状片を折り返さない場合には前記手首部位の開口径よりも大きい肘付近の上腕の外周に合わせて開口径が調整可能であることを特徴とする衣服の袖。
【請求項３】
腕全体を覆う筒状体と当該筒状体の端縁に設けられた袖口体によって構成されており、
前記袖口体は、前記筒状体の端部に接続された所定幅の袖口布と前記筒状体の端部に接続されない伸縮可能な帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であることを特徴とする衣服の袖。
【請求項４】
腕全体を覆う筒状体と当該筒状体の端縁に設けられた袖口体によって構成されており、
前記袖口体は、前記筒状体の端部に接続された所定幅の袖口布と前記筒状体の端部に接続されない伸縮可能な帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であり、
前記帯状片を前記袖口布の内側面に重ね合わせた場合には手首部位の外周に合わせて開口径が調整可能であるとともに、前記帯状片を折り返さない場合には前記手首部位の開口径よりも大きい肘付近の上腕の外周に合わせて開口径が調整可能であることを特徴とする衣服の袖。
【請求項５】
前記筒状体には、前記袖口体によって形成される開口径の変動に応じて展開または折り畳みが行われるマチ布が設けられていることを特徴とする請求項１乃至請求項４の何れか一項記載の衣服の袖。
【発明の詳細な説明】
【技術分野】
【０００１】
本発明は、衣服の袖に関するものである。
【背景技術】
【０００２】
従来、図６に示す面ファスナを用いて袖口を絞ることができる防水袖口が知られている（特許文献１）。当該防水袖口は、袖口の外側に折り曲げ自在に止着片の一側を縫い付けると共に止着片の片側面に第１面ファスナを取付け、第１面ファスナの取付け側に折った止着片が袖口を覆う部位に第２面ファスナを取付け、さらに、止着片の縫い付け位置から第２面ファスナよりも離れた袖口外側の部位に第３面ファスナを取り付けたものである。前記第１面ファスナと第２面ファスナは、その一方がフック及びループあるいはフックのみを有する素材からなり、他方はフック及びループを有する素材からなり、第３面ファスナはループのみを有する素材により構成されている。
【特許文献１】特開２００５−２１３６９６号公報
【発明の開示】
【発明が解決しようとする課題】
【０００３】
上記従来の防水袖口は、手首部分における袖口の固定を前提としたものであるから、開口径の調節範囲は小さい。また、当該防水袖口を上腕の肘付近に固定できるようにするには第３面ファスナを設けた止着片を長く構成して開口径を拡大すればよい。しかし、単に止着片を長く構成すると、袖口を手首付近で固定する通常使用時に、長く形成した止着片を常に袖口外周に巻き付けるように固定しなければならず、衣服の着用が非常に面倒になる。
【０００４】
本願発明は、上記課題に鑑み発明したものであって、手首部分の外周長に応じて調整することができる第１の調整範囲と、上腕の外周長に応じて調整することができる第２の調整範囲を有した袖口を有する衣服の袖であって、手首の位置や肘の位置に対する袖口の固定を容易に行うことのできる衣服の袖を提供することを課題とするものである。
【課題を解決するための手段】
【０００５】
上記課題を解決するために、本願発明は下記の構成を有する。すなわち、
腕全体を覆う筒状体と当該筒状体の端縁に設けられた袖口体によって構成されており、
前記袖口体は、前記筒状体の端部に接続された所定幅の袖口布と前記筒状体の端部に接続されない帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であることを特徴とする衣服の袖。
【０００６】
また、本願発明は下記の構成を有する。すなわち、
腕全体を覆う筒状体と当該筒状体の端縁に設けられた袖口体によって構成されており、
前記袖口体は、前記筒状体の端部に接続された所定幅の袖口布と前記筒状体の端部に接続されない帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であり、
前記帯状片を前記袖口布の内側面に重ね合わせた場合には手首部位の外周に合わせて開口径が調整可能であるとともに、前記帯状片を折り返さない場合には前記手首部位の開口径よりも大きい肘付近の上腕の外周に合わせて開口径が調整可能であることを特徴とする
衣服の袖。
【０００７】
また、本願発明は下記の構成を有する。すなわち、
腕全体を覆う筒状体と当該筒状体の端縁に設けられた袖口体によって構成されており、
前記袖口体は、前記筒状体の端部に接続された所定幅の袖口布と前記筒状体の端部に接続されない伸縮可能な帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であることを特徴とする衣服の袖。
【０００８】
また、本願発明は下記の構成を有する。すなわち、
腕全体を覆う筒状体と当該筒状体の端縁に設けられた袖口体によって構成されており、
前記袖口体は、前記筒状体の端部に接続された所定幅の袖口布と前記筒状体の端部に接続されない伸縮可能な帯状片を有しており、
前記帯状片は、折り返すことで前記袖口布の内側面に重ね合わせることができるとともに、当該袖口布の内側面に対して着脱自在に固定可能であり、折り返さない状態では前記袖口布の外側面に対して着脱自在に固定可能であり、
前記帯状片を前記袖口布の内側面に重ね合わせた場合には手首部位の外周に合わせて開口径が調整可能であるとともに、前記帯状片を折り返さない場合には前記手首部位の開口径よりも大きい肘付近の上腕の外周に合わせて開口径が調整可能であることを特徴とする衣服の袖。
【０００９】
また、本願発明は上記構成の衣服の袖であって下記の構成を有する。すなわち、
前記筒状体には、前記袖口体によって形成される開口径の変動に応じて展開または折り畳みが行われるマチ布が設けられていることを特徴とする。
【００１０】
また、本願発明は下記の構成を有する。すなわち、
前記筒状体には、前記袖口体によって形成される開口径の変動に応じて展開または折り畳みが行われるマチ布が設けられていることを特徴とする請求項１または請求項２記載の衣服の袖。
【発明の効果】
【００１１】
本願発明に係る衣服の袖は、比較的小径の手首部分および当該手首部分よりも径の大きい上腕部のそれぞれの部分において、手首部分あるいは上腕部にフィットするように袖口の開口部の大きさを簡単に調節することができる。すなわち、径の大きさの異なる２箇所において、それぞれ適切に開口径を調節できるという効果を有している。また、腕まくりのように袖口をたくし上げて肘付近で固定することが簡単であり、しかもずり落ちが生じないという効果を有するものである。
【００１２】
また、本願発明に係る衣服の袖は、帯状片を伸縮可能に形成することによって、上記効果に加え、さらに上腕部に対するフィット感が向上するものであり、固定した袖口をずり落ちにくくすることができるという効果を有するものである。
【発明を実施するための最良の形態】
【００１３】
以下、本願発明を実施するための最良の形態について説明する。
図１に示した各図は本実施の形態に係る衣服の袖に関する説明図であり、図１（ａ）は衣服に取り付けられている袖を袖口を中心として表した説明図である。図１（ｂ）は当該図１（ａ）に示した袖を裏面側から表した説明図であり、図１（ｃ）は図１（ａ）に表した袖の一部を切り欠いた説明図である。
【００１４】
同図に示す袖１は、肩から手首にかけて腕全体を覆う袖筒体２と、当該袖筒体２の先端に設けられた袖口体３によって構成されている。当該袖口体３は、布生地を重ねて周囲を縫製することにより厚みを持たせた約５０ｍｍ程度の幅を有する帯状の部材として構成されている。
【００１５】
前記袖口体３は、前記袖筒体２の端部に縫製によって結合された袖口布４と、袖筒体２と結合されない自由端として形成された帯状片５を有しており、前記袖口布４が袖筒体２の延長部分として手首および腕の外周を覆う環状の袖口を構成している。
【００１６】
また、本実施の形態における袖口体３は、前述した袖口布４と帯状片５が連続した１本の帯のように形成されており、前記袖筒体２と結合していない帯状片５を折り返すことによって袖口布４の内面に対して重ね合わせることができるようになっている。また、袖口布４の外周長は通常の衣服における袖口の外周長とほぼ同様の寸法に形成されており、袖口布４と帯状片５の長さの比は概ね２：１となるよう形成されている。
【００１７】
なお、本実施の形態における袖口体３は、袖口布４と帯状片５を連続した１本の帯状体として形成しているが、例えば帯状片５をテープ状に形成した所定長さの面ファスナによって形成しその端部を袖口布４に逢着することで構成しても差し支えない。
【００１８】
前述した通り、帯状片５は袖口布４の内面側に折り返して重ね合わせることができるようになっている。そして、帯状片５を袖口布４の内面側に重ね合わせた際、当該帯状片５と袖口布４の内面の一部が面ファスナによって着脱自在に結合することができるようになっている。面ファスナとは、表面に細かいフックを多数形成した係合手段と、表面に細かいループを多数形成した被係合手段をそれぞれ設けたシート状の結合手段であり、互いに着脱可能に結合可能となっているものである。本実施の形態に用いる各面ファスナは、何れもほぼ同一幅のテープ状に形成されたものである。
【００１９】
前記帯状片５の先端部内側面には結合部材として面ファスナの一方を構成する係合手段６が設けられており、袖口布４の内側面には結合部材として面ファスナの他方を構成する被係合手段７が設けられている。当該被係合手段７は、帯状片５を折り返した際に前記係合手段６と対向するように配置されている。当該構造によって、帯状片５を折り返して前記袖口布４の内側面に重ね合わせた際に、帯状片５を袖口布４の内側面に対して着脱自在に固定することができるようになっている。
【００２０】
前記袖口布４との境界に近い前記帯状片５の表面部分には、結合部材として面ファスナの一方を構成する係合手段８が設けられている。
また、袖口布４の表面には、結合部材として面ファスナの他方を構成する被係合手段９が設けられている。当該被係合手段９は、前記帯状片５の表面に設けた前記係合手段８と着脱自在に結合することができ、さらに前記帯状片５の先端部内側面に設けた係合手段６とも着脱自在に結合することができるようになっている。
【００２１】
上記の構成によって、帯状片５を袖口布４内面に重ね合わせた場合には、帯状片５の係合手段６を袖口布４の被係合手段７と結合させることで帯状片５と袖口布４を実質的に一体化し、手首外周に合わせて開口径の調整が可能な袖口を構成することができるようになっている。
【００２２】
図２に示した各図は、上記帯状片５を袖口布４内側へ折り返して重ね合わせた状態の袖口の説明図である。すなわち、図２（ａ）は帯状片５を袖口布４内側へ折り返した状態の袖口の側面図であり、図２（ｂ）は帯状片５を袖口布４内側へ折り返して、係合手段６と被係合手段７及び係合手段８と被係合手段９をそれぞれ結合させた状態を表している。袖
口の開口径の調整は、係合手段８と被係合手段９の結合位置を変化させることによって行われる。図２（ｃ）は、前記図２（ｂ）に示した袖口付近の状態を正面図として表したものである。
【００２３】
次に、帯状片５を袖口布４内側へ折り返さない場合について説明する。
帯状片５を袖口布４内側へ折り返さない場合には、帯状片５の先端部内側面に設けた係合手段６を袖口布４の外周面に設けた被係合手段９に結合させることができるようになっている。
【００２４】
被係合手段９は前記帯状片５の長さと同程度の長さを有しており、帯状片５に設けた係合手段６を被係合手段９上の任意の位置に結合させることができるようになっている。すなわち、被係合手段９に対する係合手段６の固定位置に応じて、袖口布４と当該袖口布４の延長部分として機能する帯状片５によって構成される袖口の開口径を任意の大きさに調節することができるようになっている。
【００２５】
図３に示した各図は、上記帯状片５を袖口布４側へ折り返さない場合の袖口に関する説明図である。図３（ａ）は帯状片５を袖口布４側へ折り返していない状態の袖口の側面図であり、図３（ｂ）は折り返していない帯状片５を用いて袖口を閉じた状態を表す側面図である。また、図３（ｃ）は、前記図３（ｂ）に示した袖口付近の正面図を表している。
【００２６】
袖筒２の先端部には、袖筒２の先端部を大きく広げることができるようにマチ部１０を設けている。マチ部１０は、袖筒２の先端部に切り込みを入れて広げ、当該切り込み部分に三角形状のマチ布１１を取り付けたものである。三角形状に形成されたマチ布１１の一辺は、前記袖筒２先端部の切り込みによって２分された縁部１２と当該縁部１２の延長線上に位置する袖口布４（袖口体３）の端縁１３の双方に結合されている。
【００２７】
また、マチ布１１の他の一辺は他方の縁部１４に結合されている。ただし、当該マチ布１１の他の一辺は、前述した縁部１２及び袖口布４の端縁１３と結合した辺よりも短く形成されており、帯状片５または袖口布４には結合されていない。当該構成によって、帯状片５を袖口布４内面側に折り返すことができるようになっている。
上記マチ部１０の形成によって、マチ布１１が緊張した状態を限度として袖筒２先端部の開口径を広げることができるようになっている。
【００２８】
図４は、前述した袖を設けた衣服１５に腕１６を通した状態を表した説明図である。前述した図２に示す形態の袖口を用いると、図４に示すように腕１６の手首部分の外周にフィットした状態で袖口を閉じることができる。
【００２９】
また、図５は腕１６の上腕の肘付近に袖口を固定した状態を表している。図３に示す帯状片５を折り返さない態様の場合、袖口の開口径は手首外周を覆う場合と比較して大きくすることができる。すなわち、当該態様は、袖口を上腕部にフィットした状態に調節して閉じることができるものである。特に上腕部の肘に近い部分には外周が小さくなる部分があり、当該部分で袖口を閉じるとずり落ちることなく袖口を腕に固定することができる。
【００３０】
上記のように、袖口を肘付近で固定することにより、腕捲りをするのと同様に腕を表出させることができるようになっている。
なお、腕捲りの場合は袖口から順次巻上げる必要があるので、腕捲りをする場合や腕捲りを戻す場合の何れであってもその動作に時間がかかり面倒なものとなっていた。また、巻上げ方が悪いと巻上げた袖口が戻ってしまい、袖口がだらしなく垂れ下がってしまうことが多かった。
【００３１】
本実施の形態における袖は、図５に示すように上腕の肘付近の外周長に合わせて袖口の開口径を調整し、袖口がずり落ちることなく上腕の肘付近に保持されることができるものである。また、袖口を手首の位置で閉じる場合であっても、この態様では使用しない帯状片５を袖口内面に収容することができるので、袖口の開閉や固定の際に邪魔にならないようになっている。
【００３２】
なお、上記の例は、各結合手段として面ファスナを用いた場合を説明したが、互いに着脱可能なものであれば、スナップ、ボタン等の他の手段を用いても差し支えのないものである。
【００３３】
次に、図７に示した各図（ａ〜ｃ）を用いて衣服の袖に関するさらに他の実施例について説明する。図７に示した衣服の袖２０は、主用な構成においては前述の図１に示した袖と同様であり、肩から手首にかけて腕全体を覆う袖筒体２２と、当該袖筒体２２の先端に設けた袖口体２３によって構成されている。
袖口体２３は、布生地を重ねて周囲を縫製することにより厚みを持たせた約５０ｍｍ程度の幅を有する帯状の部材として構成されている。そして、袖口体２３は、前記袖筒体２２の端部に縫製によって結合された袖口布２４と、袖筒体２２と結合されない自由端として形成された帯状片２５を有しており、前記袖口体２３が袖筒体２２の延長部分として手首および腕の外周を覆う環状の袖口を構成するようになっている。
【００３４】
前記袖口体２３は袖口布２４と帯状片２５を連続させた１本の帯のように形成されており、袖筒体２２と結合していない前記帯状片２５を折り返すことによって袖口布２４の内面に対して重ね合わせることができるようになっている。
前述したように、帯状片２５は布生地を重ねて周囲を縫製した構造であるので、内部に中空の空間を有している。そして、本実施の形態では、当該空間内に帯状片２５をやや縮めた状態でゴム紐２１を内蔵し、その両端を帯状片２５に縫着している。すなわち、帯状片２５は常態において少し縮んだ状態となっており、引っ張ると伸びるようになっている。
【００３５】
ゴム紐２１の両端は、前述のように中空に形成した帯状片２５の内部において、縫い糸４１によって縫着されている。また、本実施の形態で使用するゴム紐２１は幅細の帯状を成している。そして、縫い糸４２によるゴム紐２１の両側に沿った縫製によって、当該帯状のゴム紐２１が長手方向への伸縮を可能とする細長の収容空間を形成している。このような収容空間を設けることで、当該帯状片２５の伸縮部分に適度な剛性を付与するとともに、ゴム紐２１が撚れることなく帯状片２５が伸縮できるようになっている。図７（ｂ）は、帯状片２５を伸展させた状態を表している。
【００３６】
上記構成の帯状片２５を内側に折り返して袖口布２４の内面側に重ね合わせると、当該帯状片２５と袖口布２４の内面同士を、それぞれに設けた面ファスナ２６、２７（図７（ｃ）参照）によって着脱可能に結合することができるようになっている。
被係合手段２７は、帯状片２５を折り返した際に当該帯状片２５の先端付近に設けた係合手段２６と対向するように配置されている。当該構造によって、帯状片２５を折り返した際に袖口布２４の内側面に対して着脱可能に固定することができるようになっている。
【００３７】
また、前記袖口布２４との境界に近い前記帯状片２５の表面部分には、結合部材として面ファスナの一方を構成する係合手段２８が設けられており、袖口布２４の表面には、面ファスナの他方を構成する被係合手段２９が設けられている。当該被係合手段２９は、帯状片２５の表面に設けた前記係合手段２８と着脱自在に結合することができ、さらに前記帯状片２５の先端部内側面に設けた係合手段２６とも着脱自在に結合することができるようになっている。
上記の構成によって、帯状片２５を袖口布２４の内面に結合させると帯状片２５と袖口布２４を実質的に一体化することができ、手首外周に合わせて開口径を調整することができる袖口を構成することができるようになっている。
【００３８】
また、袖筒２２の先端部には、当該袖筒２２の先端部を大きく広げることができるようにマチ部３０が設けられている。マチ部３０は、袖筒２２の先端部に切り込みを入れて広げ、当該切り込み部分に三角形状のマチ布３１を取り付けたものである。三角形状に形成されたマチ布３１の一辺は、前記切り込みによって２分された袖筒２２の縁部３２と当該縁部３２の延長線上に位置する袖口布２４の端縁３３の双方に結合されている。
また、マチ布３１の他の一辺は２分された袖筒２２の他方の縁部３４に結合されている。ただし、当該マチ布３１の他の一辺は、前述した縁部３２及び端縁３３に結合した辺よりも短く形成されており、帯状片２５または袖口布２４には結合されないようになっている。当該構成によって、帯状片２５を袖口布２４内面側に折り返すことができるとともに、マチ部３０の展開範囲内で袖筒２２先端部の開口径を調節できるようになっている。
【００３９】
上記のように、マチ布３１を設けることによって袖口の開口径を大きくすることができるので、手首部分よりも外径の大きい上腕部の肘付近にも袖口体２３を固定することができるようになっている。
そして、帯状片２５を袖口布２４内面側に折り返さず、前述した図３に示す袖と同様に、帯状片２５の先端付近の内面に設けた係合手段２６を袖口体２３外周に設けた被係合手段２９に取り付けることで、上腕部の肘付近に袖口体２３を固定することができるようになっている。
【００４０】
また、上記上腕部に対して袖口体２３を固定する場合、前述したように帯状片２５は伸縮可能に形成されているので、袖口布２４を上腕に対して弾力的に装着することができるようになっている。上腕の肘付近は、曲げ伸ばしをする部分であるから筋肉の運動に伴い外周径が変化する。
本実施例に係る袖口体２３は、前記実施例における図５に示した袖口と同様に上腕の肘付近に固定できるものであるが、伸縮する帯状片２５によって外周径が変化する肘付近に適度な弾力をもって密着するように固定することができるものである。したがって、本実施例に係る袖口体２３は、肘の曲げ伸ばしが行われても固定した袖口体２３がずり落ちにくいという効果を有している。
【産業上の利用可能性】
【００４１】
本願発明は、衣服に用いる袖に利用可能である。
【図面の簡単な説明】
【００４２】
【図１】本願発明に係る衣服の袖の説明図である。
【図２】本願発明に係る衣服の袖の一態様に関する説明図である。
【図３】本願発明に係る衣服の袖の他の態様に関する説明図である。
【図４】本願発明に係る衣服の袖の使用状態を表した説明図である。
【図５】本願発明に係る衣服の袖の使用状態の他の例を表した説明図である。
【図６】従来技術に関する説明図である。
【図７】本願発明の他の実施例に係る衣服の袖に関する説明図である。
【符号の説明】
【００４３】
１  袖
２  袖筒体
３  袖口体
４  袖口布
５  帯状片
６  係合手段
７  被係合手段
８  係合手段
９  被係合手段
１０  マチ部
１１  マチ布
１２  縁部
１３  端縁
１４  他方の縁部
１５  衣服
１６  腕
【図１】
2009138321.tif 000003
【図２】
2009138321.tif 000004
【図３】
2009138321.tif 000005
【図４】
2009138321.tif 000006
【図５】
2009138321.tif 000007
【図６】
2009138321.tif 000008
【図７】
2009138321.tif 000009